(57)【特許請求の範囲】
【請求項１】
４層、２．５階建ての建物に設けられる階段構造であって、
１階から２．５階にかけて設けられた平面視矩形状の階段室と、
前記階段室において、１．５階、２階、２．５階にそれぞれ配置された３つの踊り場と、上下に隣り合う踊り場間に設けられた２つの階段および１階床と１．５階の踊り場との間に設けられた１つの階段の合計３つの階段とを備え、
前記階段および踊り場は平面視において、前記階段室の中央部の周囲に配置されており、前記階段は上下に重ならないように配置されており、
前記階段室の平面視における中央部には、雛壇状の棚部が２階から２．５階にかけて設けられており、この棚部の最下段の棚が２．５階の床の高さと等しいことを特徴とする階段構造。
【請求項２】
請求項１に記載の階段構造を備えた建物であって、
前記階段室は、平面視において一辺を構成する壁が、建物の外壁の一部を構成するようにして配置されていることを特徴とする建物。
【請求項３】
請求項２に記載の建物において、
前記階段室の１．５階から２階に至る階段の下が階段下収納となっており、
この階段下収納は建物の外壁に沿って配置されており、この外壁に前記階段下収納への出入口が形成されていることを特徴とする建物。
【請求項４】
請求項２または３に記載の建物において、
前記階段室の２階の踊り場に隣接して、天井高が０．９〜１．４ｍの収納室が配置されるとともに、前記２階の踊り場に面して前記収納室への出入口が設けられており、
前記階段室の２．５階の踊り場に隣接して、部屋が配置されるとともに、前記２．５階の踊り場に面して前記部屋への出入口が設けられており、
前記部屋は前記収納室の直上に配置されていることを特徴とする建物。
【発明の詳細な説明】
【技術分野】
【０００１】
本発明は、４層、２．５階建ての建物に設けられる階段構造および建物に関する。
【背景技術】
【０００２】
建物の各階の床の一部を、上下方向に半階ずらすことによって、多層構造とした建物の一例として特許文献１に記載のものが知られている。
この建物は、各階の床の一部を、上下方向に半階ずらすことによって、３階建てより一部が半階程度の高さ高くなった３．５階となるとともに、所定の天井高を有する部屋を設けることが可能な層を上下に６層設けた建物である。
【特許文献１】特開２０００−１９２６２８号公報
【発明の開示】
【発明が解決しようとする課題】
【０００３】
ところが、上記のような建物では、階段室内に上下の各層の床どうしを接続する階段があるために、通常の建物より階段の数が多くなり、さらに、階段が上下に重なって配置されているので、上下に隣り合う階段の距離が狭くなって、通風性や採光性が低下するとともに、階段を昇降する人が圧迫感を感じることがある。
【０００４】
本発明は上記事情に鑑みてなされたもので、４層、２．５階建ての建物に設ける階段構造において、階段の上方が開放された階段構造およびこの階段構造を備えた建物を提供することを課題としている。
【課題を解決するための手段】
【０００５】
上記課題を解決するために、請求項１に記載の発明は、例えば図１〜図４に示すように、４層、２．５階建ての建物に設けられる階段構造であって、
１階から２．５階にかけて設けられた平面視矩形状の階段室５と、
前記階段室５において、１．５階、２階、２．５階にそれぞれ配置された３つの踊り場７〜９と、上下に隣り合う踊り場間に設けられた２つの階段１１，１２および１階床１ＭＦと１．５階の踊り場７との間に設けられた１つの階段１０の合計３つの階段１０〜１２とを備え、
前記階段１０〜１２および踊り場７〜９は平面視において、前記階段室５の中央部の周囲に配置されており、前記階段１０〜１２は上下に重ならないように配置されており、
前記階段室５の平面視における中央部には、雛壇状の棚部２１が２階から２．５階にかけて設けられており、この棚部２１の最下段の棚２１ａが２．５階の床２ＭＦの高さと等しいことを特徴とする。
【０００６】
ここで、４層、２．５階建ての建物とは、２階建ての建物の各階の床の一部を、上下方向に半階ずらすことによって、２階建てより一部が半階程度の高さ高くなった２．５階となるとともに、所定の天井高を有する部屋を設けることが可能な層を上下に４層設けた建物のことを意味する。
【０００７】
請求項１に記載の発明によれば、階段１０〜１２および踊り場７〜９は平面視において、階段室５の中央部の周囲に配置されており、前記階段１０〜１２は上下に重ならないように配置されているので、階段１０〜１２の上方を開放することができ、通風性や採光性に優れるとともに、階段１０〜１２を昇降する人が圧迫感を感じることがない。
また、２階の床２Ｆにある踊り場８と、２．５階に至る階段１２の双方から棚部２１に載置された装飾物を見ることができる。
また、棚部２１の最下段２１ａの棚が２．５階の床２ＭＦの高さと等しいので、棚部２１の全ての棚２１ａ〜２１ｃは、２．５階に至る階段１２の段板より高い位置にあり、よって、階段１２を上り下りする最中に棚２１ａ〜２１ｃに載置した装飾物が傷付いたり破損したりするおそれがない。
【００１０】
請求項２に記載の発明は、請求項１に記載の階段構造を備えた建物であって、
前記階段室５は、平面視において一辺を構成する壁５ａが、建物の外壁６の一部を構成するようにして配置されていることを特徴とする。
【００１１】
請求項２に記載の発明によれば、階段室５は、平面視において一辺を構成する壁５ａが、建物の外壁６の一部を構成するようにして配置されているので、階段は建物の外壁５ａの近傍に配置されることになり、建物の中央部に配置されないので、建物内の部屋の配置を階段にさほど影響されることなく、比較的容易に行える。
【００１２】
請求項３に記載の発明は、請求項２に記載の建物において、
前記階段室５の１．５階から２階に至る階段１１の下が階段下収納１８となっており、
この階段下収納１８は建物の外壁５ａに沿って配置されており、この外壁５ａに前記階段下収納１８への出入口１８ａが形成されていることを特徴とする。
【００１３】
請求項３に記載の発明によれば、階段室の１．５階から２階に至る階段１１の下が階段下収納１８となっているが、その階段１１の下には１階から１．５階に至る階段１０は配置されていないので、階段下収納１８の上下の高さを大きくとれる。また、この階段下収納１８に外部から出入口１８ａを介して出入りできるので、収納物の出し入れが容易となる。
【００１４】
請求項４に記載の発明は、請求項２または３に記載の建物において、
前記階段室５の２階の踊り場８に隣接して、天井高が０．９〜１．４ｍの収納室２３が配置されるとともに、前記２階の踊り場８に面して前記収納室２３への出入口２３ａが設けられており、
前記階段室の２．５階の踊り場９に隣接して、部屋２５が配置されるとともに、前記２．５階の踊り場９に面して前記部屋２５への出入口２５ａが設けられており、
前記部屋２５は前記収納室２３の直上に配置されていることを特徴とする。
【００１５】
請求項４に記載の発明によれば、２階の収納室２３に２階の踊り場８から出入口２３ａを介して容易に出入りでき、また、天井高の低い収納室２３の直上に部屋２５が配置されているので、この部屋２５の天井高を高くとれる。
【発明の効果】
【００１６】
本発明によれば、１階から２．５階にかけて設けられた平面視矩形状の階段室に、１．５階、２階、２．５階にそれぞれ配置された３つの踊り場と、上下に隣り合う踊り場間および１階床と１．５階の踊り場との間に設けられた３つの階段とを備えており、前記階段および踊り場は平面視において、前記階段室の中央部の周囲に配置されており、前記階段は上下に重ならないように配置されているので、階段の上方を開放することができ、通風性や採光性に優れるとともに、階段を昇降する人が圧迫感を感じることがない。
【発明を実施するための最良の形態】
【００１７】
以下図面を参照して本発明の実施の形態について説明する。
図１は本発明に係る建物の一例を示すもので、１階の平面図、図２は同、１．５階〜２階にかけての平面図、図３は同、２階〜２．５階にかけての平面図である。また、図４は本発明に係る建物の概略構成を示す縦断面図である。
【００１８】
本発明に係る建物は、図４に示すように、４層、２．５階建ての建物である。
つまり、１階の中間部に１階床１Ｆより半階ほど高い位置に１．５階床１ＭＦが設けられ、２階の中間部に２階床２Ｆより半階ほど高い位置に２．５階床２ＭＦが設けられることによって、上下に半階程度がラップする４層を有する２．５階建ての建物である。なお、２階の天井位置には床ＬＦが設けられており、この床ＬＦと天井との間はロフトＬとなっている。
【００１９】
前記建物には本発明に係る階段構造が設けられている。すなわちまず、建物の１階から２．５階にかけて階段室５が設けられている。この階段室５は、図１〜図３に示すように、平面視矩形状に形成されており、平面視において一辺を構成する壁５ａが、建物の北側の外壁６の一部を構成するようにして配置されている。
前記階段室５において、１．５階には踊り場７が配置されており、２階には踊り場８が配置されており、２．５階には踊り場９が配置されている。
１階床１Ｆと、１．５階の踊り場７との間には階段１０が設けられており、１．５階の踊り場７と２階の踊り場８との間には階段１１が設けられており、２階の踊り場８と２．５階の踊り場９との間には階段１２が設けられている。
【００２０】
そして、前記階段１０〜１２および踊り場７〜９は平面視において、階段室５の中央部の周囲に配置されており、階段１０〜１２は上下に重ならないように配置されている。
すなわちまず、階段１０は、図１に示すように、階段室５の西側の壁５ｂに沿って配置された直階段であり、キッチン１３の近傍の１階床１Ｆと、階段室５の壁５ｂと壁５ａとの角部に設けられた踊り場７とに接続されている。
また、階段１１は、図２に示すように、階段室５の壁５ａに沿って配置された直階段であり、前記踊り場７と、階段室５の南側の壁５ｃと壁５ａとの間に東側の壁５ｄに沿って配置された踊り場８とに接続されている。
さらに、階段１２は、図２および図３に示すように、階段室５の南側の壁５ｃに沿って配置された直階段であり、前記踊り場８と、階段室５の壁５ｂと壁５ｃとの角部に設けられた踊り場９とに接続されている。
【００２１】
建物の１階（１層）には、図１に示すように、前記キッチン１３の東側に玄関１４が配置され、西側にリビング１５が配置されている。リビング１５の北側には、天井高が０．９〜１．４ｍの収納室１６が配置されており、この収納室１６にはリビング１５に面して設けられた引戸を備えた出入口１６ａから出入りできるようになっている。また、建物の北側の外壁６には、引戸を備えた出入口１６ｂが設けられており、この出入口１６ｂから収納室１６に外部から出入りできるようになっている。なお、収納室１６の床は、１階床１Ｆと高さが等しい床１６ｃと、この床１６ｃより１段低い土間床１６ｄとで構成されている。
【００２２】
また、建物の１階（１層）において、前記階段室５には、階段下収納１７，１８と、トイレ１９とが配置されている。
階段下収納１７は、階段１２と２階床２Ｆの下方に設けられたものであり、食品や食器等を収納しておくパントリーとして利用されている。この階段下収納１７には、キッチン１３の北側で、かつトイレ１９の南側の部位から出入りできるようになっている。
また、階段下収納１８は、１．５階から２階に至る階段１１の下方に設けられたものであり、建物の外壁６でかつ階段室５を形成する壁５ａに沿って配置されている。この壁５ａには戸を備えた出入口１８ａが設けられており、この出入口１８ａから階段下収納１８に外部から出入りできるようになっている。
【００２３】
また、図２に示すように、建物の１．５階（２層）において、１．５階床１ＭＦは、前記収納室１６の直上に位置しており、この１．５階床１ＭＦ上は和室２０となっている。この和室２０の床は、前記踊り場７と高さが等しくなっており、踊り場７に面する出入口７ａから和室２０に出入りできるようになっている。
【００２４】
図１〜図３に示すように、前記階段室５の平面視における中央部には、雛壇状の棚部２１が２階から２．５階にかけて設けられている。つまり、棚部２１は平面視において、前記階段１０〜１２、踊り場７〜９によって囲まれている。
また、棚部２１は３段に形成されたものであり、その最下段の棚２１ａは２．５階床２ＭＦの高さと等しくなっている。また、棚部２１は、階段１２の上り方向において、段状に高くなっていき、最上段の棚２１ｃは２．５階の天井まで達しておらず、２．５階の略半分の高さに位置している。つまり、２階床２Ｆと等しい高さ位置にある踊り場８の床が、平面視において階段１１，１２間まで延出され、この床上に棚部２１が設置されている。また、棚部２１の前面は踊り場８に面しており、背面は踊り場７に面している。
したがって、棚部２１の棚２１ａ，２１ｂ，２１ｃに載置される装飾物は、踊り場８や階段１２、階段１１から見ることができる。
【００２５】
また、図２に示すように、建物の２階（３層）において、階段室５の南側には、天井高が０．９〜１．４ｍの収納室２３が２階の踊り場８に隣接し配置されており、この収納室２３には踊り場８に面して設けられた引戸を備えた出入口２３ａから出入りできるようになっている。
また、収納室２３の東側には、寝室となる部屋２４が配置されており、この部屋２４と収納室２３とを仕切る壁には、引戸を備えた出入口２３ｂが設けられ、この出入口２３ｂから収納室２３の出入りできるようになっている。つまり、収納室２３には、この出入口２３ｂと前記出入口２３ａの２箇所から出入りできるようになっている。
なお、部屋２４には、前記踊り場８に面して設けられた出入口２４ａから出入りできるようになっている。
【００２６】
また、図３に示すように、建物の２．５階（４層）において、階段室５の南側には、居間となる部屋２５が２．５階の踊り場９に隣接して配置されており、この部屋２５には踊り場９に面して設けられた出入口２５ａから出入りできるようになっている。また、前記部屋２５は前記収納室２３の直上に配置されている。
また、部屋２５の西側には子供部屋となる部屋２７が配置されている。この部屋２７の北側にはウォークインクローゼット２７ａが配置されている。
【００２７】
本実施の形態によれば以下のような効果を得ることができる。
すなわちまず、１階から２．５階にかけて設けられた平面視矩形状の階段室５において、１．５階、２階、２．５階にそれぞれ配置された３つの踊り場７〜９と、上下に隣り合う踊り場間および１階床１Ｆと１．５階の踊り場７との間に設けられた３つの階段１０〜１２とを備えており、階段１０〜１２および踊り場７〜９は平面視において、階段室５の中央部の周囲に配置されており、前記階段１０〜１２は上下に重ならないように配置されているので、階段１０〜１２の上方を開放することができ、通風性や採光性に優れるとともに、階段１０〜１２を昇降する人が圧迫感を感じることがない。
【００２８】
また、階段室５の平面視における中央部に、雛壇状の棚部２１が２階から２．５階にかけて設けられており、この棚部２１の最下段の棚２１ａが２．５階床２ＭＦの高さと等しいので、２階床２Ｆにある踊り場８と、２．５階に至る階段１２の双方から棚部２１ａ〜２１ｃに載置された装飾物を見ることができる。
また、棚部２１の最下段の棚２１ａが２．５階床２ＭＦの高さと等しいので、棚部２１の全ての棚２１ａ〜２１ｃは、２．５階に至る階段１２の段板より高い位置にあり、よって、階段１２を上り下りする最中に棚２１ａ〜２１ｃに載置した装飾物が傷付いたり破損したりするおそれがない。
【００２９】
さらに、階段室５は、平面視において一辺を構成する壁５ａが、建物の外壁６の一部を構成するようにして配置されているので、階段１０〜１２は建物の外壁の近傍に配置されることになり、建物の中央部に配置されないので、建物内の部屋の配置を階段１０〜１２にさほど影響されることなく、比較的容易に行える。
加えて、階段室５の１．５階から２階に至る階段１１の下が階段下収納１８となっており、この階段下収納１８は建物の外壁５ａに沿って配置されており、この外壁５ａに階段下収納１８への出入１８ａが形成されているので、階段下収納１８に外部から出入口１８ａを介して出入りできるので、収納物の出し入れが容易となる。また、階段１１の下には１階から１．５階に至る階段１０は配置されていないので、階段下収納１８の上下の高さを大きくとれる。
【００３０】
また、階段室５の２階の踊り場８に隣接して天井高の低い収納室２３が配置されるとともに、２階の踊り場８に面して前記収納室２３への出入口２３ａが設けられているので、収納室２３に踊り場８から出入口２３ａを介して容易に出入りできる。
また、天井高の低い収納室２３の直上に部屋２５が配置されているので、この部屋２５の天井高を高くとれる。
【図面の簡単な説明】
【００３１】
【図１】本発明に係る建物の一例を示すもので、１階の平面図である。
【図２】同、１．５階〜２階にかけての平面図である。
【図３】同、２階〜２．５階にかけての平面図である。
【図４】本発明に係る建物の概略構成を示す縦断面図である。
【符号の説明】
【００３２】
１Ｆ  １階床
１ＭＦ  １．５階床
２Ｆ  ２階床
２ＭＦ  ２．５階床
５  階段室
５ａ  壁
７〜９  踊り場
１０〜１２  階段
１８  階段下収納
１８ａ  出入口
２３  収納室
２５  部屋
２５ａ  出入口
【図１】
0005149609.tif 000002
【図２】
0005149609.tif 000003
【図３】
0005149609.tif 000004
【図４】
0005149609.tif 000005